(57)【要約】【課題】  この発明は、主通信回線にコネクタ連結するコードのコネクタが過度の引張等にて抜け外れて断線故障を防止する装置において、別途断線検知回路を設けずしてコネクタの抜け外れまたは連結時に抜け外れと連結の脱着を知らせる通信手段の構築を課題にしている。【解決手段】  本発明は、コネクタに抜け外れまたは連結の際に擦り圧により主通信回線側のコネクタの電極端子間が架橋して監視部等に送信するようにして課題を解決する。【選択図】図１
2015022990.tif 000002
【特許請求の範囲】
【請求項１】
主通信回線にコネクタ連結するコードのコネクタが該コードの過度の引張時に断線するのを防止するために主通信回線のコネクタより抜け外れるようにした装置において、該コードのコネクタが抜け外れまたは再連結する際の擦り圧により主通信回線のコネクタの電極端子間が架橋してコードのコネクタの抜け外れと連結による脱着を該主通信回線を通して監視部等に送信するようにしたことを特徴とする脱着検知コネクタ。
【請求項２】
擦り圧による電極端子間の架橋は外側からの押圧による押圧架橋手段である請求項１に記載の脱着検知コネクタ。
【請求項３】
擦り圧による電極端子間の架橋は電極プレートの跨着架橋手段である請求項１に記載の脱着検知コネクタ。
【請求項４】
擦り圧による電極端子間の架橋は絶縁体の引抜きによる接面架橋手段である請求項１に記載の脱着検知コネクタ。
【発明の詳細な説明】
【技術分野】
【０００１】
この発明はコネクタ連結する通信回線におけるコネクタ同士の離脱と装着の状態を検知確認することができる脱着検知コネクタ関するものである。
【背景技術】
【０００２】
一例として病室の患者・付添人などが看護師を呼ぶために備えられているナースコール通信回線は、主通信回線のコネクタに病室のベッド上の呼出しスイッチにつながるコードのコネクタを差し込み連結して構成するようにしている。
【０００３】
コードに過度の引張等が加わるとコードが断線することがあるため、近時、コードの断線を防止するためにコード端のコネクタが主通信回線のコネクタより抜け外れるようになっている。
【０００４】
特開２００２−１５８０６３号公報は、連結するコネクタ間に弾力性のあるカップリングを設けて、過大な引張力が加わった時にカップリングの弾力性によってコネクタ間が抜け外れて、通信回線に断線故障が生じないようにしたことを記載している。
【先行技術文献】
【特許文献】
【０００５】
【特許文献１】特開２００２−１５８０６３号公報
【発明の概要】
【発明が解決しようとする課題】
【０００６】
しかしながら、上記の公報はコネクタの抜け外れをナースコールセンターに知らせる手段がないためにコネクタの再連結が遅れてナースコールを長時間不能にするという課題がある。断線を知らせるためには別途断線検知回路を設けなければならないという課題がある。
【課題を解決するための手段】
【０００７】
本発明は、主通信回線のコネクタに差し込み連結するコードのコネクタが抜け外れる際の擦り圧により主通信回線のコネクタの電極端子間が架橋して送信するようにして課題を解決するようにしたのである。
【発明の効果】
【０００８】
本発明は、コード端のコネクタが抜け外れると抜け外れをコールセンターなどの監視部等に知らせるので、コネクタを素早く再連結することができるという効果を生ずる。
【０００９】
無人機械の通信運転においてコネクタの抜け外れによる運転不能が素早く解消するという効果を生ずる。
【００１０】
別途断線検知回路を設ける必要がないので簡易且つ安価にて断線検知手段を得ることができるという効果を生ずる。
【００１１】
断線検知回路のない既存の通信回路中に中継コネクタとして使用することで極く簡易に通信回路の保安性を向上することができるという効果を生ずる。
【図面の簡単な説明】
【００１２】
【図１】第１実施例で、（ａ）はコネクタを連結していない状態で示す側断面図、（ｂ）は同、連結状態の側断面図、（ｃ）は同、コネクタが抜け外れるまたは差し込む過程で送信作動をする状態の側断面図
【図２】第２実施例で、（ａ）はコネクタを連結していない状態で示す平断面図（丸囲み内は部分側断面図）、（ｂ）は同、連結状態の平断面図、（ｃ）は同、コネクタが抜け外れるまたは差し込む過程で送信作動をする状態の平断面図
【図３】第３実施例で、（ａ）はコネクタを連結しないで閉回路となっている送信作動の状態を示す側断面図、（ｂ）は同、連結状態の側断面図、（ｃ）はコネクタが抜け外れて（ａ）と同様に送信作動をしている状態の側断面図
【図４】第４実施例の無人機械の１例を示す正面図
【図５】既設の壁埋込み形のコネクタに中継コネクタとして使用する例を示す連結前の側断面図
【発明を実施するための形態】
【００１３】
本発明は、主通信回線にコネクタ連結するコードの過度の引張時に断線故障を防止するために、コード端のコネクタが主通信回線のコネクタより抜け外れるようにし、抜け外れの際に電極端子間の擦り圧により主通信回線のコネクタの電極端子間が架橋して抜け外れを監視部等に送信するようにして、コネクタ間の再差し込み連結を促して通信不能が生じないようにする。再差し込みをする過程でも同様にして架橋するので連結確認手段として利用することもできる。
【実施例１】
【００１４】
図１はナースコール通信回線についての第１実施例を示すものであって、ナースコールセンターにつながる主通信回線の雌形コネクタ１を病室の壁面Ｗ，ベッドの枠体などに取付け、ベッド上に押しボタン２ａ付の呼出しスイッチ２ｂとコード２ｃを移動自在に置き、コード２ｃ端の雄形コネクタ２を雌形コネクタ１に差し込み連結する。
【００１５】
雌形コネクタ１内の電極端子１ａ，１ｂは、図１（ａ）に示すように中間部に外向きの湾曲部１ｃ，１ｃを設け、雄形コネクタ２内の電極端子２ｄ，２ｅは雌形コネクタ１内の電極端子１ａ，１ｂを外側から挟むように設けられており、湾曲部１ｃ，１ｃの先方にて相対させる内向きの湾曲部２ｆ，２ｆを設けている。
【００１６】
雄形コネクタ２を雌形コネクタ１に差し込み連結すると図１（ｂ）に示すように、電極端子１ａと２ｄ、１ｂと２ｅはそれぞれの湾曲部２ｆ，２ｆが１ｃ，１ｃを乗り越えた状態で弾性係合して開回路を構成しており、スイッチ２ｂの押しボタン２ａを押すと回路が閉じてナースコールセンターに呼出しの信号を送ることとなる。
【００１７】
雌雄のコネクタ１，２は外向きの湾曲部１ｃと内向きの湾曲部２ｆの弾性係合によって常態では分離することがないが、呼出しスイッチ２ａ，コード２ｂなどに過度の引張力が加わると断線，破損などの故障が生じないようにするために雄形コネクタ２が雌形コネクタ１より抜け外れるようになっている。
【００１８】
この抜け外れの過程の擦り圧によって図１（ｃ）に示すように外向きの湾曲部１ｃ，１ｃと内向きの湾曲部２ｆ，２ｆが瞬間的に重なることで雌形コネクタ１の電極端子１ａと１ｂの先端同士が接触して回路が閉じて送信作動をすることとなる。ナースコールセンターに呼出しの信号が送られて、看護師が気づくまでブザー音，点灯などが継続して抜け外れを知らせ続けるので、素早く再連結されることとなる。この際ベッド上の患者などが気づいてコネクタ１，２の再連結をすることもある。なお、再連結する過程でも抜け外れるときと同様に一旦回路が閉じて送信作動するので連結の確認手段としても利用することができる。
【実施例２】
【００１９】
図２は第２実施例であって、図２（ａ）に示すように主通信回線の雌形コネクタ１１の内底面上に平行する細帯形状の電極端子１１ａ，１１ｂを設け、一方の電極端子１１ｂの先端を他方の電極端子１１ａの先端から少し離れた前方まで円曲または鉤形に曲げて延長部１１ｃを設けている。
【００２０】
呼出しスイッチ２ｂ側の雄形コネクタ１２には、帯板状の絶縁板１２ａの下面の一側に電極端子１１ａと１１ｂの離れた先端部間に架橋する長さを有す電極プレート１２ｂと他側に電極プレート１２ｃとを設け、それぞれの電極プレート１２ｂ，１２ｃは部分側断面図に示すように絶縁板１２ａの上面に配線する２本の導線１２ｄ，１２ｅに絶縁板１２ａを貫通して接続している。
【００２１】
雌雄のコネクタ１１，１２を差し込み連結すると図２（ｂ）に示すように電極端子１１ａと電極プレート１２ｂ、電極端子１１ｂと電極プレート１２ｃとがそれぞれ重なり接触して開回路を形成し、呼出しスイッチ２ｂの作動により閉じて信号をナースコールセンターに送ることとなる。この連結状態において電極端子１１ａと１１ｂの先端間上には絶縁プレート１２ａが位置しているので非導電となっている。両コネクタ１１，１２間は故障を生ずるような過度の引張が加わると抜け外れる程度の強さで連結している。
【００２２】
呼出しスイッチ２ｂ等に過度の引張等が生じて雄形コネクタ１２が雌形コネクタ１１から抜け外れるとその過程の擦り圧で図２（ｃ）に示すように電極プレート１２ｂが電極端子１１ａと１１ｂ端間を架橋して抜け外れの信号をナースコールセンターに送ることとなる。その他の作用は前例と同じである。
【実施例３】
【００２３】
図３は第３実施例であって、図３（ａ）に示すように主通信回線の雄形コネクタ１３内に配設する相互に接触方向に弾力付勢された電極端子１３ａ，１３ｂはそれぞれ中間部の対向位置に内向きの湾曲部１３ｃ，１３ｃを設けていて、常態では弾力付勢によって湾曲部１３ｃ，１３ｃ同士が接触して閉回路を構成するようにしている。
【００２４】
呼出しスイッチ２ｂ側の雌形コネクタ１４の電極端子１４ａと１４ｂは絶縁部材１４ｃを間に挟んで一体化されている。
【００２５】
図３（ｂ）に示すように雄形コネクタ１３に雌形コネクタ１４を連結すると、電極端子１３ａ，１３ｂの間に電極端子１４ａと１４ｂが接触挟入するが、電極端子１４ａ，１４ｂ間に絶縁部材１４ｃがあって絶縁されているため開回路が構成されることとなる。両コネクタ１３，１４間は過度の引張が加わると外れる程度の強さにて連結している。
【００２６】
呼出しスイッチ２ｂ，コード２ｃ等に過度の引張力が生じて雌形コネクタ１４が抜け外れると、電極端子１３ａ，１３ｂは弾力付勢により元形に復帰し内向きの湾曲部１３ｃ同士が接面導電して抜け外れを知らせる信号を送ることとなる。この例では雌形コネクタ１４が抜け外れた状態で回路は閉じたままとなる。その他の作用は前例と同じである。
【００２７】
図４は第４実施例であって、前記したいずれかの構成のコネクタ１５，１６を用いてコネクタ連結にて通信運転する往復動，旋回搖動などの動きをする無人機械１７が、他物の接触または電圧変動等による運転の乱れなどによってコード１６ａに過度の引張力が生じた時、断線故障する前にコネクタが抜け外れ、抜け外れの際の擦り圧によって運転室などの監視部に抜け外れの信号を送るようにしたのである。信号を受けてコネクタを再連結することにより運転不能を素早く解消することができることとなる。
その他コネクタ連結する自動ドアの開閉装置，防犯警報装置等の保安装置にも利用することができる。
【００２８】
なお、図５に示す既設の壁埋込み形のコネクタ１８においてはこれに差込み連結する差込み部１９を本発明のコネクタ１（１１，１３）の背面に設けることで対応させることができる。このようにして既存のシステム，既存のスイッチの回路中に中継コネクタとして使用することで保安性を向上することができる。その他の作用は前例と同じである。
【産業上の利用可能性】
【００２９】
本発明は断線故障が生じないように過度の引張時にコネクタが抜け外れるようにした通信回線において、万一コネクタが抜け外れた際に監視部等に抜け外れを知らせて再連結を促すことで広く利用されるものである。
【符号の説明】
【００３０】
１は雌形コネクタ
１ａ，１ｂは電極端子
１ｃ，１ｃは外向きの湾曲部
２は雄形コネクタ
２ａは押しボタン
２ｂは呼出しスイッチ
２ｃはコード
２ｄ，２ｅは電極端子
２ｆ，２ｆは内向きの湾曲部
１１は雌形コネクタ
１１ａ，１１ｂは電極端子
１１ｃは電極端子１１ｂの延長部
１２は雄形コネクタ
１２ａは絶縁板
１２ｂ，１２ｃは電極プレート
１２ｄ，１２ｅは導線
１３は雄形コネクタ
１３ａ，１３ｂは電極端子
１３ｃ，１３ｃは内向きの湾曲部
１４は雌形コネクタ
１４ａ，１４ｂは電極端子
１４ｃは絶縁部材
１５，１６はコネクタ
１６ａはコード
１７は無人機械
１８はコネクタ
１９は差込み部
【図１】
2015022990.tif 000003
【図２】
2015022990.tif 000004
【図３】
2015022990.tif 000005
【図４】
2015022990.tif 000006
【図５】
2015022990.tif 000007